(57)【特許請求の範囲】
【請求項１】
被記録媒体に記録を行う記録装置の本体の周囲を構成する一の面において開閉可能に設けられている、手差し供給される被記録媒体を支持する手差しトレイと、
前記一の面において前記手差しトレイの上側に当該手差しトレイと対向して設けられ、前記手差しトレイの開閉に連動して開閉するカバーと、を備え、
前記手差しトレイが開いて前記一の面に形成される開口は、前記カバーが開くことにより拡大される、
ことを特徴とする記録装置。
【請求項２】
請求項１に記載の記録装置において、
前記手差しトレイは、前記被記録媒体を手差し供給できる第１の開状態及び前記第１の開状態よりも開き角度が広い第２の開状態と、前記被記録媒体を手差し供給できない閉状態と、をとり得る様に設けられ、
前記手差しトレイが前記閉状態から前記第１の開状態に至るまでの間、前記カバーは閉じており、前記手差しトレイが前記第１の開状態から前記第２の開状態に至ることにより、前記カバーが前記閉状態から前記開状態に切り換わる構成である、
ことを特徴とする記録装置。
【請求項３】
請求項２に記載の記録装置において、
前記手差しトレイが前記閉状態から前記第１の開状態にされるとき、前記手差しトレイに加えられる開閉の力の前記カバーへの伝達を遮断し、前記手差しトレイが前記第１の開状態から前記第２の開状態にされるとき、前記手差しトレイに加えられる開閉の力を前記カバーに伝達して、前記カバーを開かせる伝達手段をさらに備えることを特徴とする記録装置。
【請求項４】
請求項３に記載の記録装置において、
前記伝達手段は、
前記手差しトレイの開閉の軸と同軸に設けられ、前記手差しトレイの開閉により回転する第１のピニオンと、
前記カバーの開閉の軸と同軸に設けられ、前記カバーと共に回転する歯車と、
前記歯車と噛合する第２のピニオンと、
前記第１のピニオンに噛合する第１のラックと、前記手差しトレイが前記閉状態から前記第１の開状態にされるとき、前記第２のピニオンに噛合せず、前記手差しトレイが前記第１の開状態から前記第２の開状態にされるとき、前記第２のピニオンに噛合する第２のラックとが設けられているラック部材と、
を備えることを特徴とする記録装置。
【請求項５】
請求項２から請求項４のいずれか一項に記載の記録装置において、前記手差しトレイ及び前記カバーは、回動することにより開閉可能に設けられ、
前記カバーが開閉する際の回動角度は、前記手差しトレイの前記第２の開状態と前記閉状態との間の回動角度より大きい、
ことを特徴とする記録装置。
【請求項６】
請求項５に記載の記録装置において、前記カバーは、開状態において水平より鉛直上向きの姿勢をとる、
ことを特徴とする記録装置。
【発明の詳細な説明】
【技術分野】
【０００１】
本発明は記録装置に関し、特に、被記録媒体に記録する記録装置に関する。  
記録装置には、インクジェットプリンター、複写機、ファクシミリ等の装置が含まれる。
【背景技術】
【０００２】
従来のインクジェットプリンターの構成では、装置の背面側に手差しトレイが設けられたものがある。そして使用時に手差しトレイが開けられるか、または引き抜かれ、使用後には手差しトレイが閉じられて、本体に収納されるという構成が一般的である。通常、開閉可能な手差しトレイにおいては、使用時の突出量を抑えるため、手差しトレイを斜めに設けることが多い。
【０００３】
ところで、積層状態に収容された用紙を前方側から引き込み、円弧状経路にて反転させて直線状経路に沿って前方側の処理位置である記録部へ向かって搬送する情報処理装置において、装置本体の後部に、装置本体の後方を開閉する開閉カバーユニットを設け、開閉カバーユニットに、用紙を装置本体の後部上方から手差しにて一枚ずつ直線状経路へ供給可能な手差し給紙部を設け、開閉カバーユニットを開くことにより、円弧状経路、直線状経路、手差し経路及び後方経路を露出可能とする情報処理装置もある（例えば、特許文献１参照）。
【先行技術文献】
【特許文献】
【０００４】
【特許文献１】特開２００７−１８２３１６号公報
【発明の概要】
【発明が解決しようとする課題】
【０００５】
しかしながら、手差しトレイを装置の天面に設けると、異物が内部に入り込みやすいという課題が発生した。また、装置の背面側に手差しトレイを設けると、メンテナンスの場合などに内部に手が届きにくく、内部にアクセスしにくい。
【０００６】
また、手差しトレイに用紙をセットする際の用紙先端の突き当たり位置が手差し供給口より装置奥方に位置する場合には、例えば名刺サイズの様なサイズの小さい被記録媒体を供給する際に、セット性が悪い（手差し供給口の内部に手が届き難い）という課題も生じる。しかしこの様な課題を解消するために手差し供給口を大きくしてしまうと、装置内部に異物が入り込み易いという欠点も生じてしまう。
【０００７】
本発明は、このような状況に鑑みてなされたものであり、内部に侵入する異物をより少なくするとともに、内部にアクセスしやすくして、使い勝手をより良くした記録装置を提供する。
【課題を解決するための手段】
【０００８】
本発明の第１の態様の記録装置は、被記録媒体に記録を行う記録装置の本体の周囲を構成する一の面において開閉可能に設けられている、手差し供給される被記録媒体を支持する手差しトレイと、前記一の面において前記手差しトレイの上側に当該手差しトレイと対向して設けられ、前記手差しトレイの開閉に連動して開閉するカバーとを備えることを特徴とする。
【０００９】
本態様によれば、手差し供給される被記録媒体を支持する手差しトレイは、被記録媒体に記録を行う記録装置の本体の周囲を構成する一の面において開閉可能に設けられ、カバーは、前記一の面において手差しトレイの上側に手差しトレイと対向して設けられ、手差しトレイの開閉に連動して開閉するので、閉じているカバーによって、内部に侵入する異物をより少なくできる記録装置を提供できる。また、手差しトレイに連動してカバーが開くので、手差しトレイを開くだけで、内部にアクセスしやすくなり、サイズの小さい被記録媒体を供給する場合やメンテナンスの場合などの使い勝手がより良くなる。
【００１０】
本発明の第２の態様の記録装置は、第１の態様において、前記手差しトレイは、前記被記録媒体を手差し供給できる第１の開状態及び前記第１の開状態よりも開き角度が広い第２の開状態と、前記被記録媒体を手差し供給できない閉状態と、をとり得る様に設けられ、前記手差しトレイが前記閉状態から前記第１の開状態に至るまでの間、前記カバーは閉じており、前記手差しトレイが前記第１の開状態から前記第２の開状態に至ることにより、前記カバーが閉状態から開状態に切り換わる構成であることを特徴とする。
【００１１】
本態様によれば、手差しトレイが前記閉状態から前記第１の開状態の間では、カバーが閉じているので、手差しトレイが閉状態であるときに加えて、手差しトレイが第１の開状態であるときも、閉じているカバーによって、内部に侵入する異物をより少なくして、故障を防止し、より確実に動作する記録装置を提供できる。そして、手差しトレイが前記第１の開状態よりも開き角度が広い第２の開き状態であるとき、カバーが開くので、手差しトレイの周辺が大きく開き、内部にアクセスしやすくなり、名刺サイズなどの小型サイズの被記録媒体を供給する場合やメンテナンスの場合などの使い勝手がより良くなる。
【００１２】
本発明の第３の態様は、第２の態様において、手差しトレイが全閉から半開きにされるとき、手差しトレイに加えられる開閉の力のカバーへの伝達を遮断し、手差しトレイが半開きから全開にされるとき、手差しトレイに加えられる開閉の力をカバーに伝達して、カバーを開かせる伝達手段をさらに備えることを特徴とする。
【００１３】
本発明の第４の態様は、第３の態様において、伝達手段が、前記手差しトレイの開閉の軸と同軸に設けられ、前記手差しトレイの開閉により回転する第１のピニオンと、前記カバーの開閉の軸と同軸に設けられ、前記カバーと共に回転する歯車と、前記歯車と噛合する第２のピニオンと、前記第１のピニオンに噛合する第１のラックと、前記手差しトレイが全閉から半開きにされるとき、前記第２のピニオンに噛合せず、前記手差しトレイが半開きから全開にされるとき、前記第２のピニオンに噛合する第２のラックとが設けられているラック部材と、を備えることを特徴とする。  
本態様によれば、伝達手段が、ラック＆ピニオン機構により構成されるので、前記伝達手段を簡易な構造により低コストに構成することができる。
【００１４】
本発明の第５の態様は、第１から第４の態様のいずれかにおいて、前記手差しトレイ及び前記カバーは、回動することにより開閉可能に設けられ、前記カバーが開閉する際の回動角度は、前記手差しトレイの前記第２の開状態と前記閉状態との間の回動角度より大きいことを特徴とする。
【００１５】
本態様によれば、前記カバーの回動角度が前記手差しトレイの回動角度より大きいので、前記カバーが大きく開くことにより、装置内部により一層アクセスしやすくなり、またサイズの小さい被記録媒体を供給する場合やメンテナンスの場合などの使い勝手がより一層良くなる。
【００１６】
本発明の第６の態様は、第５の態様において、前記カバーは、開状態において水平より鉛直上向きの姿勢をとることを特徴とする。  
本態様によれば、前記カバーは、開状態において水平より鉛直上向きの姿勢をとるので、ユーザー視点において装置内部へアクセスする際に前記カバーが邪魔にならず、装置内部により一層アクセスしやすくなり、またサイズの小さい被記録媒体を供給する場合やメンテナンスの場合などの使い勝手がより一層良くなる。
【図面の簡単な説明】
【００１７】
【図１】本発明の実施の形態のプリンターの構成を示す断面図である。
【図２】本発明の実施の形態のプリンターの構成を示す断面図である。
【図３】本発明の実施の形態のプリンターの構成を示す断面図である。
【図４】手差しトレイに連動してカバーを開く機構について説明する図である。
【図５】手差しトレイに連動してカバーを開く機構について説明する図である。
【図６】手差しトレイに連動してカバーを開く機構について説明する図である。
【発明を実施するための形態】
【００１８】
以下、本発明の実施の形態を図面に基づいて説明する。  
図１、図２、および図３は、本発明の実施の形態のプリンター１の構成を示す断面図である。図１は、手差しトレイ１２が閉状態（以下では「全閉」と言う）であり且つ及びカバー１４が閉状態のプリンター１の構成を示す断面図である。図２は、手差しトレイ１２が第１の開状態（以下では「半開き」と言う）であり且つ及びカバー１４が閉状態のプリンター１の構成を示す断面図である。図３は、手差しトレイが半開きよりも開き角度が大きい第２の開状態（以下では「全開」と言う）であり且つ及びカバー１４が開状態のプリンター１の構成を示す断面図である。
【００１９】
尚、図１〜図６において左側がプリンター１の装置本体背面であり、右側が正面である。  
プリンター１は、記録装置の一例である印刷装置であり、被記録媒体の一例である用紙に文字や画像を記録する。
【００２０】
プリンター１は、本体１１、手差しトレイ１２、開閉軸１３、カバー１４、開閉軸１５、送り経路形成部１６、ローラー対１７、記録ヘッド１８、ローラー対１９、ローラー２０、およびカセット２１を備える。なお本実施形態では、手差しトレイ１２、開閉軸１３、カバー１４、および開閉軸１５が、本体の周囲を構成する面のうち一の面である背面に設けられる場合を例に説明するが、手差しトレイ１２、開閉軸１３、カバー１４、および開閉軸１５を前側、すなわち、正面に設けるようにしてもよいし、左右いずれかの側面に設けるようにしてもよい。
【００２１】
本体１１は、各種のプラスチック材料や金属材料などで形成される筐体である。本体１１の背面には、手差しトレイ１２、開閉軸１３、カバー１４、および開閉軸１５が設けられる。また、本体１１は、送り経路形成部１６、ローラー対１７、記録ヘッド１８、ローラー対１９、ローラー２０、およびカセット２１を格納する。
【００２２】
手差しトレイ１２は、各種のプラスチック材料などで形成される。手差しトレイ１２は、ヒンジなどからなる開閉軸１３を中心に回動することにより、本体１１の縦面である背面に開閉可能に設けられている。より詳細には、手差しトレイ１２は、被記録媒体である用紙を手差し供給できる全開若しくは半開き、または用紙を手差し供給できない全閉のいずれかの状態が維持できるように開閉可能に設けられている。手差しトレイ１２は、半開きまたは全開である状態において、手差し供給される被記録媒体である用紙を支持する。
【００２３】
カバー１４は、各種のプラスチック材料などで形成される。カバー１４は、ヒンジなどからなる開閉軸１５を中心に回動することにより、本体１１に対して開閉する。より詳細には、カバー１４は、本体１１の縦面である背面に手差しトレイ１２の上側に設けられている。また、カバー１４は、手差しトレイ１２に対向して設けられる。
【００２４】
すなわち、手差しトレイ１２の端部のうち、開閉したときに移動する（本体１１から離れる）一方の端部と、カバー１４の端部のうち、開閉したときに移動する（本体１１から離れる）一方の端部とが双方の全閉状態で対向（隣接）している。手差しトレイ１２の開閉の軸である開閉軸１３は、手差しトレイ１２の他方の端部に設けられ、カバー１４の開閉の軸である開閉軸１５は、カバー１４の他方の端部に設けられる。
【００２５】
送り経路形成部１６は、各種のプラスチック材料や金属製の案内部材などによって構成される。送り経路形成部１６は、手差しトレイ１２またはカセット２１から、ローラー対１７、記録ヘッド１８、およびローラー対１９に用紙が送られる送り経路を形成する。ローラー対１７は、相対する一対のローラーからなり、モーター、ギア、またはベルトなどからなる駆動部（図示せず）によって上側のローラーが図中の反時計方向に、下側のローラーが図中の時計方向に回転させられ、用紙を挟持して、送り経路を介して供給されてきた用紙を記録ヘッド１８およびローラー対１９に送る。
【００２６】
記録ヘッド１８は、ローラー対１７によって送り経路を介して搬送されてきた用紙にインクを吐出して記録する。すなわち、記録ヘッド１８の面のうち、用紙と対向する面には、インクを吐出するノズル（図示せず）が形成されている。記録ヘッド１８は、用紙に対してノズルからインクを吐出することにより、印字または描画を行う。
【００２７】
ローラー対１９は、相対する一対のローラーからなり、図示せぬ駆動部によって上側のローラーが図中の反時計方向に、下側のローラーが図中の時計方向に回転させられ、記録ヘッド１８によって記録された用紙を挟持して、本体１１の外部に排出するように用紙を搬送する。
【００２８】
ローラー２０は、カセット２１に格納されている用紙に対して接離移動可能なアームの自由端に設けられ、図示せぬ駆動部によって図中の時計方向に回転させられる。アームが用紙に接する側に移動すると、ローラー２０は、カセット２１に格納されている用紙のうち、最も上側に格納されている用紙と接触する。これにより、ローラー２０は、用紙を上側に搬送することで、ローラー対１７に送る。カセット２１は、記録しようとする用紙を格納する。
【００２９】
図１に示されるように、手差しトレイ１２が全閉である状態（本体１１の縦面である背面と面一となる上向きの状態）において、送り経路形成部１６によって形成される送り経路が手差しトレイ１２によって閉じられるので、被記録媒体である用紙を手差し供給することはできない。
【００３０】
このとき、カバー１４は、本体１１に対して閉じられる（本体１１の縦面である背面と面一となる下向きの状態となる）。すなわち、手差しトレイ１２がユーザーによって閉じられて、全閉である状態になると、カバー１４も閉じられる。手差しトレイ１２が全閉である状態は維持され、カバー１４も閉じられたままとなる。なお、ユーザーとは、エンドユーザーに限られず、プリンター１の組立作業またはアフターメンテナンスを行う人など、プリンター１を扱う全ての人を意味する。
【００３１】
図２に示されるように、手差しトレイ１２が半開きである状態（斜め上向きの状態）において、手差しトレイ１２は手差し供給される用紙を支持する。すなわち、被記録媒体である用紙が挿入されると、手差しトレイ１２は手差し供給される用紙（挿入された用紙）を支持する。手差しトレイ１２が半開きである状態になると、送り経路形成部１６によって形成される送り経路が開く。このとき、手差しトレイ１２に用紙が挿入されると、図２の矢印Ａに示されるように、挿入された用紙の端部は送り経路を介してローラー対１７に到達する。従って、この場合、ローラー対１７は手差しトレイ１２に支持された用紙を搬送することができる。
【００３２】
すなわち、手差しトレイ１２が半開きである状態において、被記録媒体である用紙を手差し供給することができる。このとき、カバー１４は、本体１１に対して閉じられている。言い換えると、手差しトレイ１２がユーザーによって開かれて、半開きである状態になっても、カバー１４は閉じられたままである。手差しトレイ１２が半開きである状態は維持され、カバー１４も閉じられたままとなる。
【００３３】
手差しトレイ１２を半開きにした状態は、薄紙である用紙の手差し供給に適している。カバー１４が閉じられたままなので、手差しトレイ１２に落下した物または埃や塵などの異物が本体１１内部に入りにくくなる。従って、故障を防止でき、プリンター１は、より確実に動作するようになる。
【００３４】
図３に示されるように、手差しトレイ１２が全開である状態（水平の状態）において、手差しトレイ１２は手差し供給される用紙を支持する。すなわち、被記録媒体である用紙が挿入されると、手差しトレイ１２は手差し供給される用紙（挿入された用紙）を支持する。手差しトレイ１２が全開である状態になると、送り経路形成部１６によって形成される送り経路が開く。
【００３５】
このとき、手差しトレイ１２に用紙が挿入されると、図３の矢印Ｂに示されるように、挿入された用紙の端部は送り経路を介してローラー対１７に到達する。従って、この場合、ローラー対１７は手差しトレイ１２に支持された用紙を搬送することができる。手差しトレイ１２を全開にした状態では、手差しトレイ１２と送り経路形成部１６によって形成される送り経路とがほぼ一直線になる。
【００３６】
すなわち、手差しトレイ１２が全開である状態において、被記録媒体である用紙を手差し供給することができる。このとき、カバー１４は、本体１１に対して開かれる。すなわち、手差しトレイ１２がユーザーによって開かれて、全開である状態になると、カバー１４も開かれる。手差しトレイ１２が全開である状態は維持され、カバー１４も開かれたままとなる。
【００３７】
より詳細には、手差しトレイ１２が全開である状態になる、すなわち、手差しトレイ１２が本体１１の縦面である背面に対して直角に開くと（手差しトレイ１２が本体１１の天面（上面）と平行になるまで開くと）、カバー１４も本体１１の縦面である背面に対して直角に開く（カバー１４が本体１１の天面と平行になるまで開く）。
【００３８】
手差しトレイ１２を全開にした状態では、手差しトレイ１２と送り経路形成部１６によって形成される送り経路とがほぼ一直線になるので、湾曲を嫌う厚紙、ラベル用紙、シール用紙などである用紙の手差し供給に適している。手差しトレイ１２に連動してカバー１４が開くので、手差しトレイ１２を開くだけで、本体１１の内部にアクセスしやすくなり（本体１１の内部にユーザーの手が届くようになり）、名刺サイズなどの小型サイズの被記録媒体を供給する場合やメンテナンスの場合などの使い勝手がより良くなる。
【００３９】
このように、手差しトレイ１２は、本体１１の周囲を構成する一の面である背面に開閉可能に設けられている、手差し供給される被記録媒体である用紙を支持し、カバー１４は、本体１１の背面であって手差しトレイ１２の上側に手差しトレイ１２と対向して設けられ、手差しトレイ１２の開閉に連動して開閉する。
【００４０】
閉じているカバー１４によって、本体１１の内部に侵入する異物をより少なくして、故障を防止し、より確実に動作させることができる。また、手差しトレイ１２に連動してカバー１４が開くので、手差しトレイ１２を開くだけで、本体１１の内部にアクセスしやすくなり、名刺サイズなどの小型サイズの用紙を供給する場合やメンテナンスの場合などの使い勝手がより良くなる。
【００４１】
また、手差しトレイ１２が、被記録媒体である用紙を手差し供給できる全開若しくは半開き、または用紙を手差し供給できない全閉のいずれかの状態が維持できるように開閉可能であり、手差しトレイ１２が全閉または半開きであるとき、カバー１４が閉じ、手差しトレイ１２が全開であるとき、カバー１４が開く。
【００４２】
従って、手差しトレイ１２が全閉であるときに加えて、手差しトレイ１２が半開きであるときも、閉じているカバー１４によって、本体１１の内部に侵入する異物をより少なくして、故障を防止し、より確実に動作させることができる。そして、手差しトレイ１２が全開であるとき、カバー１４が開くので、手差しトレイ１２の周辺が大きく開き、本体１１の内部にアクセスしやすくなり、名刺サイズなどの小型サイズの被記録媒体である用紙を供給する場合やメンテナンスの場合などの使い勝手がより良くなる。
【００４３】
次に、図４、図５、および図６を参照して、手差しトレイ１２に連動してカバー１４を開く機構について説明する。図４、図５、および図６は、それぞれ、手差しトレイ１２が全閉且つカバー１４が閉状態、手差しトレイ１２が半開き且つカバー１４が閉状態、手差しトレイ１２が全開且つカバー１４が開状態、を示している。
【００４４】
手差しトレイ１２に連動してカバー１４を開く機構として、プリンター１には、ピニオン３１、ラック部材３２、ピニオン３３、および歯車３４が設けられる。ラック部材３２には、ラック３２ａおよびラック３２ｂが設けられる。ピニオン３１、ラック部材３２、ピニオン３３、および歯車３４は、各種のプラスチック材料または各種の金属材料などで形成される。
【００４５】
ピニオン３１、ラック部材３２、ピニオン３３、および歯車３４は、伝達手段の一例であり、手差しトレイ１２が全閉から半開きにされるとき、手差しトレイ１２に加えられる開閉の力のカバー１４への伝達を遮断し、手差しトレイ１２が半開きから全開にされるとき、手差しトレイ１２に加えられる開閉の力をカバー１４に伝達して、カバー１４を開かせる。
【００４６】
ピニオン３１は、手差しトレイ１２の開閉の軸である開閉軸１３と同軸に設けられ、手差しトレイ１２の開閉により回転する。ピニオン３１は、ラック３２ａと常時噛み合っている。ピニオン３１とラック３２ａとは、いわゆるラック＆ピニオンを構成する。
【００４７】
ラック部材３２は、図示せぬガイドなどにより上下に移動可能に設けられている。ラック３２ａとピニオン３１とが常時噛み合っているので、手差しトレイ１２が開かれると、ラック部材３２は、上方向に移動する。ラック３２ｂは、手差しトレイ１２の状態が全閉から半開きまでにおいて、ピニオン３３に噛合しない。
【００４８】
また、ラック３２ｂは、手差しトレイ１２が半開きからさらに開かれて全開にされるまで、ピニオン３３に噛合する。すなわち、ラック部材３２には、ピニオン３１に噛合するラック３２ａと、手差しトレイ１２が全閉から半開きにされるとき、ピニオン３３に噛合せず、手差しトレイ１２が半開きから全開にされるとき、ピニオン３３に噛合するラック３２ｂとが設けられている。
【００４９】
従って、手差しトレイ１２が全閉から半開きにされるとき、手差しトレイ１２に加えられる開閉の力のカバー１４への伝達は遮断されることになる。また、手差しトレイ１２が半開きから全開にされるとき、手差しトレイ１２に加えられる開閉の力がピニオン３３に伝達される。
【００５０】
ピニオン３３とラック３２ｂとは、いわゆるラック＆ピニオンを構成する。ピニオン３３は、歯車３４と噛合する。すなわち、ピニオン３３は、歯車３４と常時噛み合い、また、手差しトレイ１２が全閉から半開きとなるまでは、ラック３２ｂに噛合せず、手差しトレイ１２が半開きからさらに開かれると、ラック３２ｂに噛合する。歯車３４は、カバー１４の開閉の軸である開閉軸１５と同軸に設けられ、カバー１４と共に回転する。
【００５１】
図４に示されるように、手差しトレイ１２が全閉である状態において、ラック部材３２は、最も下側に移動する。この場合、ラック３２ｂは、ピニオン３３に噛合しない。従って、ピニオン３３が回転させられることがなく、カバー１４は閉じたままとなる。
【００５２】
また、手差しトレイ１２が全閉から半開きにされると、手差しトレイ１２の開閉により回転するピニオン３１が時計方向に回るので、ラック３２ａが上側に移動することになる。従って、図５に示されるように、ラック部材３２は、上側に移動する。手差しトレイ１２が半開きとなっても、ラック３２ｂは、ピニオン３３に噛合しない。このため、ピニオン３３が回転させられることがなく、カバー１４は閉じたままとなる。
【００５３】
半開きの状態から手差しトレイ１２がさらに開かれると、ラック部材３２がさらに上側に移動し、ラック３２ｂがピニオン３３に噛合する。すると、手差しトレイ１２がさらに開かれることによるラック部材３２の上側への移動に伴って、ラック３２ｂによりピニオン３３が時計方向に回転させられる。
【００５４】
ピニオン３３は、歯車３４と常時噛み合っているので、歯車３４は反時計方向に回転させられる。これにより、カバー１４は、反時計方向に回転させられる。歯車３４の歯数がピニオン３１の歯数の半分とされているので、手差しトレイ１２が半開きから全開まで４５度だけ開くとすると、手差しトレイ１２が半開きから全開とされるまでに、カバー１４は、閉じた状態から９０度開くことになる。
【００５５】
従って、手差しトレイ１２が半開きから全開にされると、図６に示されるように、カバー１４が開かれる。手差しトレイ１２が全開、すなわち水平まで開かれると、カバー１４も水平になるまで開かれる（完全に開放される）。尚、伝達手段を上述の様なラック＆ピニオン機構ではなく、リンク機構により構成することもできる。
【００５６】
尚、上述したラック＆ピニオン機構を用いる場合、歯車３４、ピニオン３３、ラック３２ｂ、のこれらで構成されるラック＆ピニオン機構の減速比と、ピニオン３１とラック３２ａとで構成されるラック＆ピニオン機構の減速比とは、手差しトレイ１２が半開きから全開状態になるまでの間に、カバー１４が全閉状態から全開状態に切り換わる様に、設定する。例えば、手差しトレイ１２及びカバー１４の回動範囲が９０°であり、手差しトレイ１２が４５°開いた状態からカバー１４が回動しはじめる構成において、ピニオン３３と歯車３４とで同じ歯車（径及び歯数が同じ歯車）を用いている場合には、ピニオン３３及び歯車３４の歯数を、ピニオン３１の歯数の１／２とすることができる。
【００５７】
以上のように、ピニオン３１、ラック３２ａおよびラック３２ｂが設けられているラック部材３２、ピニオン３３、および歯車３４は、手差しトレイ１２が全閉から半開きにされるとき、手差しトレイ１２に加えられる開閉の力のカバー１４への伝達を遮断し、手差しトレイ１２が半開きから全開にされるとき、手差しトレイ１２に加えられる開閉の力をカバー１４に伝達して、カバー１４を開かせる。
【００５８】
また、ピニオン３１は、手差しトレイ１２の開閉の軸と同軸に設けられ、手差しトレイ１２の開閉により回転する。歯車３４は、カバー１４の開閉の軸と同軸に設けられ、カバー１４と共に回転し、ピニオン３１の歯数の半分の歯数とされている。ピニオン３３は、歯車３４と噛合する。ラック部材３２には、ピニオン３１に噛合するラック３２ａと、手差しトレイ１２が全閉から半開きにされるとき、ピニオン３３に噛合せず、手差しトレイ１２が半開きから全開にされるとき、ピニオン３３に噛合するラック３２ｂとが設けられている。
【００５９】
以上のように、カバー１４が閉じた状態となることで手差し供給口から装置内部に侵入する異物をより少なくして、故障を防止し、より確実に動作するとともに、内部にアクセスしやすくして、使い勝手をより良くした記録装置を提供する。なお、プリンター１は、印刷装置であると説明したが、印刷装置、複写機、またはファクシミリ装置その他の装置である記録装置であってもよい。
【００６０】
尚、本発明は上記実施例に限定されることなく、特許請求の範囲に記載した発明の範囲内で、種々の変形が可能であり、それらも本発明の範囲内に含まれるものであることは言うまでもない。  
例えば、上記実施形態では、手差しトレイ１２の開閉動作とカバー１４の開閉動作とをラック＆ピニオン機構により連動させたが、手差しトレイ１２の回動状態を検出するセンサーを設け、手差しトレイ１２が所定の開き角になった際に、モーターなどの動力によってカバー１４を開かせる様に構成しても良い。
【００６１】
加えて、カバー１４が開閉する際の回動角度を、手差しトレイ１２が開閉する際の回動角度（全閉状態と全開状態との間の回動角度）より大きくすることも好適である。特に、カバー１４が開いた際に、当該カバー１４が水平よりも鉛直上向きになることで、ユーザー視点において装置内部へアクセスする際にカバー１４が邪魔にならず、装置内部により一層アクセスしやすくなり、またサイズの小さい用紙を供給する場合やメンテナンスの場合などの使い勝手がより一層良くなる。
【符号の説明】
【００６２】
１  プリンター、１１  本体、１２  手差しトレイ、１３  開閉軸、１４  カバー、１５  開閉軸、１６  送り経路形成部、１７  ローラー対、１８  記録ヘッド、１９  ローラー対、２０  ローラー、２１  カセット、３１  ピニオン、３２  ラック部材、３２ａ  ラック、３２ｂ  ラック、３３  ピニオン、３４  歯車
【図１】
0005950077.tif 000002
【図２】
0005950077.tif 000003
【図３】
0005950077.tif 000004
【図４】
0005950077.tif 000005
【図５】
0005950077.tif 000006
【図６】
0005950077.tif 000007